(57)【要約】【課題】  押下されたときにクリック感を発生させることでタッチパネルが押下されていることをユーザに通知することができる、丈夫で低コストの座標入力パネルを実現する。【解決手段】  接触検知面上の接触位置に対応した座標入力信号を出力するタッチパネルと、タッチパネルの一辺付近上に設けられる突起部と、タッチパネル上方に架設され、中央付近に向かうにつれてタッチパネルから離間するよう湾曲したカバーパネルであって、タッチパネルの一辺に対向する他の一変付近に固定される固定端辺と、この固定端辺に対向し、突起部の近傍に位置する自由端辺とを有するカバーパネルと、を備え、カバーパネルが押下されると、自由端辺は非押下時における位置から摺動して突起部を乗り越えるとともに、カバーパネルは前記の押下位置でタッチパネルの接触検知面上に接触し、前記の押下が解除されると、自由端辺は摺動して突起部を乗り越えて非押下時における位置に戻る。【選択図】      図１
2006040104.tif 000002
【特許請求の範囲】
【請求項１】
接触検知面上の接触位置に対応した座標入力信号を出力するタッチパネルと、
前記タッチパネルの一辺付近上に設けられる突起部と、
該タッチパネル上方に架設され、中央付近に向かうにつれて前記タッチパネルから離間するよう湾曲したカバーパネルであって、前記タッチパネルの前記一辺に対向する他の一変付近に固定される固定端辺と、該固定端辺に対向し、前記突起部の近傍に位置する自由端辺とを有するカバーパネルと、
を備え、
前記カバーパネルが押下されると、前記自由端辺は非押下時における位置から摺動して前記突起部を乗り越えるとともに、前記カバーパネルは前記の押下位置で前記タッチパネルの前記接触検知面上に接触し、
前記の押下が解除されると、前記自由端辺は摺動して前記突起部を乗り越えて前記非押下時における位置に戻ることを特徴とする座標入力パネル。
【請求項２】
前記突起部は、非押下時に前記自由端辺が位置する側の傾斜面がその反対側の傾斜面より急な傾斜を有する請求項１に記載の座標入力パネル。
【請求項３】
接触検知面上の接触位置に対応した座標入力信号を出力するタッチパネルと、
該タッチパネル上方に架設される可撓性を有するカバーパネルであって、中央付近に向かうにつれて前記タッチパネルから離間するようなドーム形状を有するカバーパネルと、
を備え、
前記カバーパネルが所定の強度以上の力で押下されて変形すると、前記カバーパネルのドーム形状が前記タッチパネルの方向に変形するとともに、前記カバーパネルは前記の押下位置で前記タッチパネルの前記接触検知面上に接触し、
前記の押下が解除されると、前記カバーパネルは中央付近に向かうにつれて前記タッチパネルから離間するような前記ドーム形状に戻ることを特徴とする座標入力パネル。
【請求項４】
前記カバーパネルは、熱収縮率の異なる部材を積層し、加熱処理することで生成される請求項１または３に記載の座標入力パネル。
【請求項５】
第１のパネルと、該第１のパネルに対面する第２のパネルとを有し、前記第１のパネルが押下されて前記第１のパネルと前記第２のパネルとが接触もしくは最も近接する位置に対応する座標入力信号を出力する座標入力パネルであって、
前記第２のパネルは、その一辺付近に突起部を備え、
前記第１のパネルは、前記第２のパネルの前記一辺に対向する他の一変付近に固定される固定端辺と、該固定端辺に対向し、前記突起部の近傍に位置する自由端辺とを備えるとともに、中央付近に向かうにつれて前記第１のパネルが前記第２のパネルから離間するよう湾曲する形状を有し、
前記第１のパネルが押下されると、前記自由端辺は非押下時における位置から摺動して前記突起部を乗り越えるとともに、前記第１のパネルは前記の押下位置で前記第２のパネルの前記接触検知面上に接触し、
前記の押下が解除されると、前記自由端辺は摺動して前記突起部を乗り越えて前記非押下時における位置に戻ることを特徴とする座標入力パネル。
【請求項６】
前記突起部は、非押下時に前記自由端辺が位置する側の傾斜面がその反対側の傾斜面より急な傾斜を有する請求項５に記載の座標入力パネル。
【請求項７】
第１のパネルと、該第１のパネルに対面する第２のパネルとを有し、前記第１のパネルが押下されて前記第１のパネルと前記第２のパネルとが接触もしくは最も近接する位置に対応する座標入力信号を出力する座標入力パネルであって、
前記第１のパネルは、可撓性を有するとともに、中央付近に向かうにつれて前記第２のパネルから離間するようなドーム形状を有し、
前記第１のパネルが所定の強度以上の力で押下されて変形すると、前記第１のパネルのドーム形状が前記第２のパネルの方向に変形するとともに、前記第１のパネルは前記の押下位置で前記第２のパネルの前記接触検知面上に接触し、
前記の押下が解除されると、前記第１のパネルは中央付近に向かうにつれて前記第２のパネルから離間するような前記ドーム形状に戻ることを特徴とする座標入力パネル。
【発明の詳細な説明】
【技術分野】
【０００１】
本発明は、コンピュータ等の処理装置への入力用のタッチ操作面を有する座標入力パネルに関する。
【背景技術】
【０００２】
コンピュータ等の各種情報処理装置に対する座標入力装置の１つとして座標入力パネル（平面入力パネル、平面入力パッドもしくは平面入力マウスとも称する。）が用いられている。座標入力パネルは、座標入力装置としての機能を有するタッチ操作面が透明もしくは不透明なタッチパネルと、このタッチパネルの背後に設けられ、タッチパネルに向けて画像を表示する表示手段とを有する。ユーザは、座標入力パネルのタッチパネルのタッチ操作面上を指もしくはペン（スタイラス）等で押下もしくは接触することでコンピュータに対して座標入力が可能であるとともに、タッチパネルを介して表示手段が表示する画面を閲覧することも可能である。座標入力パネルによれば、相対座標入力によるマウスなどのようなポインティングデバイスとは異なり、絶対座標を簡単に入力することができるので、より多くの人の感覚にあった操作を実現することができる。現在、座標入力パネルは、ＰＤＡ（Ｐｅｒｓｏｎａｌ  Ｄｅｇｉｔａｌ  Ａｓｓｉｓｔａｎｔｓ）などの情報携帯端末、ノート型パソコン、携帯電話、銀行のＡＴＭ、切符の自動券売機や自動精算機など、装置本体に体積的制限がある小型もしくは薄型の情報処理装置や、幅広い世代のユーザに使用される機会を有する情報処理装置に多用されている。
【０００３】
通常のマウスでは、クリック操作の際にはクリック感があるが、座標入力パネルには、そのようなクリック感はない。したがって、ユーザは、座標入力パネルへの入力操作が正常に行われたか否かについて、座標入力パネルの表示の変化を目視する以外確認することができない。このため、正常にタッチパネルの押下が行われているにもかかわらず、その確認ができないために、タッチパネルの操作面を必要以上に押下してしまい、その結果、座標入力パネルを傷つけたり、指やペンを傷めたりすることがある。
【０００４】
一方、この問題を解決すべく、タッチパネルの押下を、電子音や、あるいは圧電素子などで発生された振動によりユーザに知らせる方法が提案されている。またあるいは、タッチパネルの操作面を垂直方向に平衡移動可能な構造とし、その操作面の背面に機械的スイッチを設け、タッチパネルの押下の際には機械的スイッチが作動してクリック感を生じるようにした座標入力パネルが提案されている（例えば、特許文献１参照）。
【０００５】
【特許文献１】特開平８−３２８７４３号公報
【発明の開示】
【発明が解決しようとする課題】
【０００６】
タッチパネルが押下されているか否かをユーザに知らせる方法として、上述の電子音による方法を用いた場合は、目の不自由な人や騒音下での使用に問題がある。また、圧電素子による方法は、回路構成および振動機構が複雑であり、大幅なコストアップが避けられない。さらに、上記特許文献１に記載された方法では、機械的スイッチの耐久性が特に重要であり、経年変化や外部振動に起因する故障も生じない。
【０００７】
従って本発明の目的は、上記問題に鑑み、押下されたときにクリック感を発生させることでタッチパネルが押下されていることをユーザに通知することができる、丈夫で低コストの座標入力パネルを提供することにある。
【課題を解決するための手段】
【０００８】
上記目的を実現するために、本発明の第１の態様における座標入力パネルは、接触検知面上の接触位置に対応した座標入力信号を出力するタッチパネルと、タッチパネルの一辺付近上に設けられる突起部と、タッチパネル上方に架設され、中央付近に向かうにつれてタッチパネルから離間するよう湾曲したカバーパネルであって、タッチパネルの一辺に対向する他の一変付近に固定される固定端辺と、この固定端辺に対向し、突起部の近傍に位置する自由端辺とを有するカバーパネルと、を備える。カバーパネルが押下されると、自由端辺は非押下時における位置から摺動して突起部を乗り越えるとともに、カバーパネルは前記の押下位置でタッチパネルの接触検知面上に接触し、前記の押下が解除されると、自由端辺は摺動して突起部を乗り越えて非押下時における位置に戻る。
【０００９】
また、本発明の第２の態様における座標入力パネルは、接触検知面上の接触位置に対応した座標入力信号を出力するタッチパネルと、タッチパネル上方に架設される可撓性を有するカバーパネルであって、中央付近に向かうにつれてタッチパネルから離間するようなドーム形状を有するカバーパネルと、を備える。カバーパネルが所定の強度以上の力で押下されて変形すると、カバーパネルのドーム形状がタッチパネルの方向に変形するとともに、カバーパネルは前記の押下位置でタッチパネルの接触検知面上に接触し、前記の押下が解除されると、カバーパネルは中央付近に向かうにつれてタッチパネルから離間するようなドーム形状に戻る。
【００１０】
また、本発明の第３の態様においては、第１のパネルと、この第１のパネルに対面する第２のパネルとを有し、第１のパネルが押下されて第１のパネルと第２のパネルとが接触もしくは最も近接する位置に対応する座標入力信号を出力する座標入力パネルは、第２のパネルは、その一辺付近に突起部を備え、第１のパネルは、第２のパネルの前記の一辺に対向する他の一変付近に固定される固定端辺と、この固定端辺に対向し、突起部の近傍に位置する自由端辺とを備えるとともに、中央付近に向かうにつれて第１のパネルが第２のパネルから離間するよう湾曲する形状を有する。第１のパネルが押下されると、自由端辺は非押下時における位置から摺動して突起部を乗り越えるとともに、第１のパネルは前記の押下位置で第２のパネルの接触検知面上に接触し、前記の押下が解除されると、自由端辺は摺動して突起部を乗り越えて非押下時における位置に戻る。
【００１１】
また、本発明の第４の態様においては、第１のパネルと、この第１のパネルに対面する第２のパネルとを有し、第１のパネルが押下されて第１のパネルと第２のパネルとが接触もしくは最も近接する位置に対応する座標入力信号を出力する座標入力パネルは、第１のパネルは、可撓性を有するとともに、中央付近に向かうにつれて第２のパネルから離間するようなドーム形状を有する。第１のパネルが所定の強度以上の力で押下されて変形すると、第１のパネルのドーム形状が第２のパネルの方向に変形するとともに、第１のパネルは前記の押下位置で第２のパネルの接触検知面上に接触し、前記の押下が解除されると、第１のパネルは中央付近に向かうにつれて第２のパネルから離間するようなドーム形状に戻る。
【発明の効果】
【００１２】
本発明によれば、押下されたときにクリック感を発生させることでタッチパネルが押下されていることをユーザに通知することができる丈夫な座標入力パネルを低コストで実現することができる。
【発明を実施するための最良の形態】
【００１３】
図１は、本発明の第１の実施例による座標入力パネルの概略的な図であり、（ａ）は斜視図、（ｂ）は断面図である。
【００１４】
本発明の第１の実施例では、座標入力パネル１は、タッチパネル１１と、突起部１２と、カバーパネル１３とを備える。
【００１５】
タッチパネル１１は、接触検知面上の接触位置に対応した座標入力信号を出力する。タッチパネルには、押下検出方式により、抵抗膜方式、静電容量方式、電磁誘導方式、超音波方式、および赤外線方式などに分類されるが、本発明はこれら押下検出方式に限定されるものではなく、どれを用いてもよい。本実施例では、タッチパネル１１は、上部フィルム３９と下部ガラス４０とが両面テープ３１によって貼着されて構成される抵抗膜方式を示す。
【００１６】
突起部１２は、タッチパネル１１の一辺付近上に設けられる。突起部１２は例えば曲げ弾性率が定常状態で７０００ｋｇ／ｃｍ２である硬質プラスチックなどで構成すればよく、あるいは、スチロール樹脂もしくはアクリル樹脂等でもよい。
【００１７】
カバーパネル１３は、タッチパネル１１上方に架設され、中央付近に向かうにつれてタッチパネル１１から離間するよう湾曲した形状を有する。そして、カバーパネル１３は、タッチパネル１１の前記の一辺に対向する他の一変付近に固定される固定端辺２１と、この固定端辺２１に対向し、突起部１２近傍に位置する自由端辺２２とを有する。カバーパネル１３は、透明なポリエチレンテレフタレート（ＰＥＴ）、ポリカーボネイトなどで構成すればよい。カバーパネル１３の寸法については、例えば６０ｍｍ×５０ｍｍのタッチパネルに対して、カバーパネル１３の大きさを５５ｍｍ×４５ｍｍ、厚さを約１ｍｍ、非押下時におけるカバーパネルとタッチパネルとの最大離間幅を２ｍｍとする。カバーパネルの大きさがほぼ座標入力パネルの操作可能領域に相当することになる。
【００１８】
カバーパネル１３の固定端辺２１は、カバーパネル１３とタッチパネル１１とを固定するものであるが、例えばカバーパネル１３とタッチパネル１１とは例えば両面テープや接着剤を用いて固定すればよい。図１に示す第１の実施例では、両面テープ３１で固定している。また、図２は本発明の第１の実施例におけるカバーパネル１３の固定端辺２１の拡大図である。図示のように、カバーパネル１３とタッチパネル１１とを強固に固定するために両面テープ３１で貼着することに加えて、ストッパー３２をタッチパネル１１上に設け、このストッパー３２によりカバーパネル１３を繋止してもよい。
【００１９】
カバーパネル１３の自由端辺２２は、詳細については後述するが、カバーパネル１３の押下により摺動する。
【００２０】
突起部１２は、カバーパネル１３の非押下時に自由端辺が位置する側の傾斜面がその反対側の傾斜面より急な傾斜を有する。なお、図１の例では、突起部１２を１つの部材で構成したが、これ以外の構成であってもよい。図３は、本発明の第１の実施例における突起部の変形例を示す斜視図である。図３の例では、タッチパネル１１上に、複数の突起部１３が、カバーパネル１３の自由端辺２２に沿う方向に一列に並んで設けられる。
【００２１】
図４は、本発明の第１の実施例による座標入力パネルの動作を説明する断面図である。
【００２２】
図４（ａ）は、カバーパネル１３の非押下時を示している。カバーパネル１３が押下されると、カバーパネル１３の自由端辺２２は、図４（ａ）の非押下時における位置から図４（ｂ）および４（ｃ）に示すように徐々に摺動し、図４（ｄ）に示すように突起部２２を乗り越える。上述のように、突起部１２は、カバーパネル１３の非押下時に自由端辺２２が位置する側の傾斜面がその反対側の傾斜面より急な傾斜を有しているので、図４（ｃ）に示す状態よりも図４（ｂ）に示す状態の方が、カバーパネル１３の自由端辺２２を摺動させるために大きな力が必要である。また、図４（ｂ）と図４（ｃ）とを比較して分かるように突起部１２の最上部で傾斜面の傾斜の向きが変わる。したがって、カバーパネル１３の自由端辺２２が突起部１２の最上部を乗り越えるときに、カバーパネル１３からユーザの指もしくはペンへ伝達する反発力は急激に変化することになる。これが「クリック感」としてユーザに伝達される。
【００２３】
図４（ｄ）に示すように突起部２２を乗り越えると、カバーパネル１３はユーザの指もしくはペンの押下位置（図示せず）でタッチパネル１１の接触検知面上に接触する。これにより、接触検知面上の接触位置に対応した座標入力信号を出力する。
【００２４】
ユーザの指もしくはペンによる前記の押下が解除されると、カバーパネル１３の自由端辺２２は上述の押下中の場合とは逆方向に摺動して突起部１２を乗り越え、図４（ａ）に示すような非押下時における位置に戻る。
【００２５】
本発明の第１の実施例では、上述のようにしてカバーパネルの押下時にクリック感を得ることができる。なお、説明を簡便にするために、例えば図１では、タッチパネル１１、突起部１２およびカバーパネル１３を剥き出しの状態で図示しているが、実際の構成ではこれらを覆うための化粧版などを適宜設けてもよい。また、本実施例では、タッチパネル１１上に突起部１２およびカバーパネル１３を設置しているが、突起部１２およびカバーパネル１３を支持するための台枠を設け、この台枠を介してカバーパネル１３をタッチパネル１１上方に架設し、あるいはこの台枠上に突起部１２を設置してもよい。また、カバーパネル１３の非押下時においては、カバーパネル１３の自由端辺２２が、突起部１２に掛止されるようにしてもよく、また、単に突起部１２の近傍に位置するようにしてもよい。
【００２６】
図５は、本発明の第２の実施例による座標入力パネルの概略的な図であり、（ａ）は斜視図、（ｂ）は断面図である。
【００２７】
本発明の第２の実施例では、座標入力パネル１は、タッチパネル１１と、カバーパネル４１とを備える。なお、図５（ａ）においてはタッチパネル１１については省略する。
【００２８】
タッチパネル１１は、上述の第１の実施例の場合と同様である。
【００２９】
カバーパネル４１は、タッチパネル１１上方に架設され、中央付近に向かうにつれてタッチパネル１１から離間するようなドーム形状を有する。このドーム形状の底面がタッチパネル１１全面を覆うようにするのが好ましい。また、カバーパネル４１は、可撓性を有する透明な部材であって、かつ、所定の強度以上の力でカバーパネル４１が押下されたときに、カバーパネル４１のドーム形状が急激に変化して、それまでタッチパネル１１から離れるような方向に湾曲していたものが、タッチパネルに向かう方向に変形するような部材を用いる。この部材の例としては、透明なポリエチレンテレフタレート（ＰＥＴ）、ポリカーボネイトなどがある。
【００３０】
カバーパネル４１の寸法については、例えば６０ｍｍ×６０ｍｍのタッチパネルに対して、カバーパネル４１のドーム形状の底面の半径を５５ｍｍ、厚さを約１ｍｍ、非押下時におけるカバーパネルとタッチパネルとの最大離間幅を１ｍｍとする。カバーパネルの大きさがほぼ座標入力パネルの操作可能領域に相当することになる。
【００３１】
カバーパネル４１とタッチパネル１１とは例えば両面テープや接着剤を用いて固定すればよい。なお、図示しないが、カバーパネル１３とタッチパネル１１とを強固に固定するために両面テープ３１で貼着することに加えて、カバーパネル４１を繋止するストッパーをタッチパネル１１上に設けてもよい。
【００３２】
図６は、本発明の第２の実施例による座標入力パネルの動作を説明する断面図である。
【００３３】
図６（ａ）は、カバーパネル４１の非押下時を示している。カバーパネル４１が押下されると、図６（ａ）の非押下時における形状から図６（ｂ）に示すように徐々に変形し、図６（ｃ）に示すようにカバーパネル３１のドーム形状がタッチパネル１１の方向に変形する。上述のように、カバーパネル４１は、所定の強度以上の力で押下されたときに、そのドーム形状が急激に変化して、それまでタッチパネル１１から離れるような方向に湾曲していたものが、タッチパネルに向かう方向に変形する。したがって、カバーパネル４１の形状が急激に変化するときに、カバーパネル４１からユーザの指もしくはペンへ伝達する反発力は急激に変化することになる。これが「クリック感」としてユーザに伝達される。
【００３４】
図６（ｃ）に示すようにカバーパネル４１の形状が変形すると、カバーパネル４１はユーザの指もしくはペンの押下位置でタッチパネル１１の接触検知面上に接触する。これにより、接触検知面上の接触位置に対応した座標入力信号を出力する。
【００３５】
ユーザの指もしくはペンによる前記の押下が解除されると、カバーパネル４１は、図６（ｃ）に示すような中央付近に向かうにつれてタッチパネルから離間するようなドーム形状に戻る。
【００３６】
本発明の第２の実施例では、上述のようにしてカバーパネルの押下時にクリック感を得ることができる。なお、説明を簡便にするために、例えば図１では、タッチパネル１１およびカバーパネル４１を剥き出しの状態で図示しているが、実際の構成ではこれらを覆うための化粧版などを適宜設けてもよい。また、本実施例では、タッチパネル１１上にカバーパネル４１を設置しているが、カバーパネル１３を支持するための台枠を設け、この台枠を介してカバーパネル４１をタッチパネル１１上方に架設してもよい。
【００３７】
図７は、本発明におけるカバーパネルの製造の一実施例を説明する図である。
【００３８】
上述の第１および第２の実施例におけるカバーパネル１３および４１は、それぞれ湾曲状またはドーム状というようにそれぞれ曲面形状を有する。図７（ａ）に示すように、まず、熱収縮率の異なる部材を積層する。そして、図７（ｂ）に示すように、積層された部材を加熱処理することでこの部材を熱主薄くさせ、所望の形状に仕上げる。
【００３９】
本発明の第３および第４の実施例は、第１のパネルと、この第１のパネルに対面する第２のパネルとを有し、第１のパネルが押下されて第１のパネルと第２のパネルとが接触もしくは最も近接する位置に対応する座標入力信号を出力する座標入力パネルに適用するものである。ここでは一例として、アナログ抵抗膜方式の座標入力パネルを取り上げる。
【００４０】
図８は、本発明の第３の実施例による座標入力パネルの概略的な断面図である。
【００４１】
本発明の第３の実施例による座標入力パネル１は、第１のパネル５１と、この第１のパネル５１に対面する第２のパネル５２とを有し、第１のパネル５１が押下されて第１のパネル５１と第２のパネル５２とが接触する位置に対応する座標入力信号を出力する。
【００４２】
第２のパネル５２は、第１のパネル５１に対面する側に透明導電物質であるＩＴＯ（インジウム錫酸化物）（参照符号６２）が成膜されたガラス板からなる。第２のパネル５２は、その一辺付近に突起部１２を備える。
【００４３】
第１のパネル５１は、第２のパネル５２に対面する側に透明導電物質であるＩＴＯ（参照符号６１）が成膜されたフィルムからなり、中央付近に向かうにつれて第１のパネル５１が第２のパネル５２から離間するよう湾曲する形状を有する。また、第１のパネル５１は、第２のパネル５２の前記の一辺に対向する他の一変付近に固定される固定端辺２１と、この固定端辺２１に対向し、突起部１２の近傍に位置する自由端辺２２とを備える。
【００４４】
第１のパネル５１が押下されると、自由端辺２２は非押下時における位置から摺動して突起部１２を乗り越えるとともに、前記の押下位置で第１のパネル５１のＩＴＯ６１と第２のパネル５２のＩＴＯ６２とが接触する。前記の押下が解除されると、自由端辺２２は摺動して突起部１２を乗り越えて非押下時における位置に戻る。
【００４５】
なお、説明を簡便にするために、図８では、各構成要素を剥き出しの状態で図示しているが、実際の構成ではこれらを覆うための化粧版などを適宜設けてもよい。また、本実施例では、第２のパネル５２上に突起部１２および第１のパネル５１を設置しているが、突起部１２および第１のパネル５１を支持するための台枠を設け、この台枠を介して第１のパネル５１を第２のパネル５２上方に架設し、あるいはこの台枠上に突起部１２を設置してもよい。また、第１のパネル５１の非押下時においては、第１のパネル５１の自由端辺２２が、突起部１２に掛止されるようにしてもよく、また、単に突起部１２の近傍に位置するようにしてもよい。
【００４６】
図９は、本発明の第４の実施例による座標入力パネルの概略的な断面図である。
【００４７】
本発明の第４の実施例による座標入力パネル１は、第１のパネル５３と、この第１のパネル５３に対面する第２のパネル５２とを有し、第１のパネル５３が押下されて第１のパネル５１と第２のパネル５２とが接触する位置に対応する座標入力信号を出力する。
【００４８】
第２のパネル５２は、第１のパネル５３に対面する側に透明導電物質であるＩＴＯ（参照符号５２）が成膜されたガラス板からなる。
【００４９】
第１のパネル５３は、第２のパネル５２に対面する側に透明導電物質であるＩＴＯ（参照符号６３）が成膜された可撓性を有するフィルムからなり、中央付近に向かうにつれて第２のパネル５２から離間するようなドーム形状を有する。
【００５０】
第１のパネル５３が所定の強度以上の力で押下されて変形すると、第１のパネル５３のドーム形状が第２のパネル５２の方向に変形するとともに、前記の押下位置で第１のパネル５３のＩＴＯ６３と第２のパネル５２のＩＴＯ６２とが接触する。前記の押下が解除されると、第１のパネル５３は元のドーム形状に戻る。
【００５１】
なお、説明を簡便にするために、図９では、各構成要素を剥き出しの状態で図示しているが、実際の構成ではこれらを覆うための化粧版などを適宜設けてもよい。また、本実施例では、第２のパネル５２上に第１のパネル５３を設置しているが、突起部１２および第１のパネル５３を支持するための台枠を設け、この台枠を介して第１のパネル５３を第２のパネル５２上方に架設し、あるいはこの台枠上に突起部１２を設置してもよい。
【産業上の利用可能性】
【００５２】
本発明によれば、押下されたときにクリック感を発生させることでタッチパネルが押下されていることをユーザに通知することができる丈夫な座標入力パネルを低コストで実現することができる。そのシンプルな構造ゆえ、外部からの振動にも強いので、例えばＰＤＡなどの情報携帯端末、ノート型パソコン、携帯電話などにおける座標入力パネルとして特に適する。
【図面の簡単な説明】
【００５３】
【図１】本発明の第１の実施例による座標入力パネルの概略的な図であり、（ａ）は斜視図、（ｂ）は断面図である。
【図２】本発明の第１の実施例におけるカバーパネル１３の固定端辺２１の拡大図である。
【図３】本発明の第１の実施例における突起部の変形例を示す斜視図である。
【図４】本発明の第１の実施例による座標入力パネルの動作を説明する断面図である。
【図５】本発明の第２の実施例による座標入力パネルの概略的な図であり、（ａ）は斜視図、（ｂ）は断面図である。
【図６】本発明の第２の実施例による座標入力パネルの動作を説明する断面図である。
【図７】本発明におけるカバーパネルの製造の一実施例を説明する図である。
【図８】本発明の第３の実施例による座標入力パネルの概略的な断面図である。
【図９】本発明の第４の実施例による座標入力パネルの概略的な断面図である。
【符号の説明】
【００５４】
１…座標入力パネル
１１…タッチパネル
１２…突起部
１３、４１…カバーパネル
２１…固定端辺
２２…自由端辺
３１…両面テープ
５１、５３…第１のパネル
５２…第２のパネル
６１、６２…ＩＴＯ
【図１】
2006040104.tif 000003
【図２】
2006040104.tif 000004
【図３】
2006040104.tif 000005
【図４】
2006040104.tif 000006
【図５】
2006040104.tif 000007
【図６】
2006040104.tif 000008
【図７】
2006040104.tif 000009
【図８】
2006040104.tif 000010
【図９】
2006040104.tif 000011